(57)【要約】  検査システムは、照明ビームを生成するための照明源と、照明ビームをサンプルまで導くための照明光学部品と、を含んでもよい。システムは、立体角の第１範囲内の及び第１選択偏光におけるサンプルからの光を収集するための第１収集チャネルを更に含んでもよい。システムは、第２角範囲内の、立体角の第２範囲内の、及び第２選択偏光におけるサンプルからの光を収集するための第２収集チャネルを更に含んでもよい。システムは、２つ以上の散乱信号を受け取るための制御装置を更に含んでもよい。散乱信号は、選択された偏光を有する第１及び第２収集チャネルからの信号を含んでもよい。制御装置は、２つ以上の散乱信号を、既知の深度に既知の欠陥を有するトレーニングサンプルからのデータを含むトレーニングデータと比較することに基づいて、サンプル内の欠陥の深度を更に決定してもよい。
2021527813.tif 000002
【特許請求の範囲】
【請求項１】
照明ビームを生成するように構成された照明源と、
前記照明ビームをサンプルまで導くための１つ又は複数の照明光学部品と、
立体角の第１範囲内の前記照明ビームに応じた前記サンプルからの光を収集するための第１検出器を少なくとも含む第１収集チャネルであって、前記第１収集チャネルは、前記第１検出器に入射する前記サンプルからの前記光の偏光を制御するための第１偏光器を更に含む、第１収集チャネルと、
立体角の第２範囲内の前記照明源からの前記照明ビームに応じた前記サンプルからの光を収集するための第２検出器を少なくとも含む第２収集チャネルであって、前記第２収集チャネルは、前記第２検出器に入射する前記サンプルからの前記光の偏光を制御するための第２偏光器を更に含む、第２収集チャネルと、
プログラム命令を実行するように構成された１つ又は複数のプロセッサを含む制御装置であって、前記プログラム命令は、前記１つ又は複数のプロセッサに、
２つ以上の散乱信号を受け取るステップであって、前記２つ以上の散乱信号は、前記第１偏光器の１つ又は複数の方位に基づく前記第１収集チャネルからの１つ又は複数の散乱信号を含み、前記２つ以上の散乱信号は、前記第２偏光器の１つ又は複数の方位に基づく前記第２収集チャネルからの１つ又は複数の散乱信号を更に含む、ステップと、
前記２つ以上の散乱信号をトレーニングデータと比較することに基づいて、前記サンプル内の１つ又は複数の欠陥の深度を決定するステップであって、前記トレーニングデータは、既知の深度に既知の欠陥を有するトレーニングサンプルからの散乱信号を含む、ステップと、
を行わせる制御装置と、
を備える検査システム。
【請求項２】
前記２つ以上の散乱信号をトレーニングデータと比較することに基づいて、前記サンプル内の１つ又は複数の欠陥の深度を決定するステップは、
前記２つ以上の散乱信号を前記トレーニングデータと比較することに基づいて、前記サンプル内の前記１つ又は複数の欠陥を深度値域に分類するステップを含む、請求項１に記載の検査システム。
【請求項３】
前記深度値域は、
２つ以上の深度値域
を含む、請求項２に記載の検査システム。
【請求項４】
前記深度値域は、
表面の深度値域と、２つ以上の表面下の深度値域と、
を含む、請求項２に記載の検査システム。
【請求項５】
前記深度値域は、
前記表面の深度値域と、４つ以上の表面下の深度値域と、
を含む、請求項２に記載の検査システム。
【請求項６】
前記２つ以上の散乱信号をトレーニングデータと比較することに基づいて、前記サンプル内の１つ又は複数の欠陥の深度を決定するステップは、
前記トレーニングデータに基づいて欠陥深度を決定するための１つ又は複数のルールを生成するステップと、
前記サンプル内の前記１つ又は複数の欠陥の前記深度を決定するために前記１つ又は複数のルールを前記２つ以上の散乱信号に適用するステップと、
を含む、請求項１に記載の検査システム。
【請求項７】
前記２つ以上の散乱信号をトレーニングデータと比較することに基づいて、前記サンプル内の１つ又は複数の欠陥の深度を決定するステップは、
前記トレーニングデータによって機械学習アルゴリズムをトレーニングするステップと、
前記２つ以上の散乱信号を入力として前記機械学習アルゴリズムに提供するステップと、
前記機械学習アルゴリズムの出力に基づいて、前記サンプル内の１つ又は複数の欠陥の前記深度を決定するステップと、
を含む、請求項１に記載の検査システム。
【請求項８】
前記１つ又は複数の欠陥は、
前記サンプル内に埋設された１つ又は複数の粒子
を含む、請求項１に記載の検査システム。
【請求項９】
前記サンプルは、
半導体ウェーハ
を含む、請求項１に記載の検査システム。
【請求項１０】
前記サンプルは、
基板上に堆積された薄膜
を備える、請求項１に記載の検査システム。
【請求項１１】
前記サンプルは、
基板上に堆積された多層薄膜積層体
を含む、請求項１に記載の検査システム。
【請求項１２】
前記１つ又は複数の照明光学部品は、対物レンズを含み、前記立体角の第１範囲は、前記対物レンズの開口数内の立体角の第１サブセットを含み、少なくとも収集角の第２セットが、前記対物レンズの前記開口数内の立体角の第２サブセットを含む、請求項１に記載の検査システム。
【請求項１３】
前記第１及び第２収集チャネルは、方位的に対称である、請求項１２に記載の検査システム。
【請求項１４】
前記立体角の第１範囲は、
前記サンプルに垂直な方向から第１立体角までの範囲に及ぶ立体角の円錐を含み、
前記立体角の第２範囲は、
前記第１立体角から、前記第１立体角よりも大きい第２立体角までの範囲に及ぶ立体角の環状分布を含む、
請求項１２に記載の検査システム。
【請求項１５】
前記第２収集チャネルからの前記１つ又は複数の散乱信号は、
前記第２偏光器の２つの直交方位に基づく２つの散乱信号
を含む、請求項１４に記載の検査システム。
【請求項１６】
前記第１収集チャネルからの前記１つ又は複数の散乱信号は、
前記第１偏光器の単一方位に基づく１つの散乱信号
を含む、請求項１５に記載の検査システム。
【請求項１７】
前記第１収集チャネルからの前記１つ又は複数の散乱信号は、
前記第１偏光器の２つの直交方位に基づく２つの散乱信号
を含む、請求項１４に記載の検査システム。
【請求項１８】
前記１つ又は複数の照明光学部品は、前記照明を前記照明源から斜入射角で前記サンプルまで導く、請求項１に記載の検査システム。
【請求項１９】
前記２つ以上の散乱信号のうちの少なくとも１つは、
暗視野散乱信号
を含む、請求項１８に記載の検査システム。
【請求項２０】
前記１つ又は複数の照明光学部品は、前記照明を前記照明源から垂直入射角で前記サンプルまで導く、請求項１に記載の検査システム。
【請求項２１】
前記２つ以上の散乱信号のうちの少なくとも１つは、
明視野散乱信号
を含む、請求項２０に記載の検査システム。
【請求項２２】
前記照明源は、紫外波長、遠紫外波長、真空紫外波長、又は極紫外波長を少なくとも含む照明を生成するように構成されている、請求項１に記載の検査システム。
【請求項２３】
前記照明源は、可視波長を含む照明を生成するように構成されている、請求項１に記載の検査システム。
【請求項２４】
前記照明源は、２つの波長範囲を含む照明を生成するように構成されており、少なくとも１つの波長範囲は、可視波長を含む、請求項１に記載の検査システム。
【請求項２５】
前記１つ又は複数の照明光学部品は、前記照明ビームを固定焦点高度にある前記サンプルまで導く、請求項１に記載の検査システム。
【請求項２６】
プログラム命令を実行するように構成された１つ又は複数のプロセッサを含む制御装置であって、前記プログラム命令は、前記１つ又は複数のプロセッサに、
１つ又は複数の散乱信号を第１収集チャネルから受け取るステップであって、前記第１収集チャネルは、照明ビームに応じた立体角の第１範囲内のサンプルからの光を収集するための第１検出器を含み、前記第１収集チャネルは、前記第１検出器に入射する前記サンプルからの前記光の偏光を制御するための第１調節可能偏光器を更に含み、前記第１収集チャネルからの前記１つ又は複数の散乱信号は、前記第１調節可能偏光器の１つ又は複数の偏光状態に基づいている、ステップと、
１つ又は複数の散乱信号を第２収集チャネルから受け取るステップであって、前記第２収集チャネルは、立体角の第２範囲内の前記照明ビームに応じた前記サンプルからの光を収集するための第２検出器を含み、前記第２収集チャネルは、前記第２検出器に入射する前記サンプルからの前記光の偏光を制御するための第２調節可能偏光器を更に含み、前記第２収集チャネルからの前記１つ又は複数の散乱信号は、前記第２調節可能偏光器の１つ又は複数の偏光状態に基づいている、ステップと、
前記第１及び第２の収集チャネルからの前記１つ又は複数の散乱信号をトレーニングデータと比較することに基づいて、前記サンプル内の１つ又は複数の欠陥の深度を決定するステップであって、前記トレーニングデータは、既知の深度に既知の欠陥を有するトレーニングサンプルからの散乱信号を含む、ステップと、
を行わせる、制御装置を備える検査システム。
【請求項２７】
前記２つ以上の散乱信号をトレーニングデータと比較することに基づいて、前記サンプル内の１つ又は複数の欠陥の深度を決定するステップは、
前記２つ以上の散乱信号を前記トレーニングデータと比較することに基づいて、前記サンプル内の前記１つ又は複数の欠陥を深度値域に分類するステップ
を含む、請求項２６に記載の検査システム。
【請求項２８】
前記深度値域は、
２つ以上の深度値域
を含む、請求項２７に記載の検査システム。
【請求項２９】
前記深度値域は、
表面の深度値域と、２つ以上の表面下の深度値域と、
を含む、請求項２７に記載の検査システム。
【請求項３０】
前記深度値域は、
前記表面の深度値域と、４つ以上の表面下の深度値域と、
を含む、請求項２７に記載の検査システム。
【請求項３１】
前記２つ以上の散乱信号をトレーニングデータと比較することに基づいて前記サンプルの１つ又は複数の欠陥の深度を決定するステップは、
前記トレーニングデータに基づいて欠陥深度を決定するための１つ又は複数のルールを生成するステップと、
前記サンプル内の前記１つ又は複数の欠陥の前記深度を決定するために前記１つ又は複数のルールを前記２つ以上の散乱信号に適用するステップと、
を含む、請求項２６に記載の検査システム。
【請求項３２】
前記２つ以上の散乱信号をトレーニングデータと比較することに基づいて、前記サンプル内の１つ又は複数の欠陥の深度を決定するステップは、
機械学習アルゴリズムを前記トレーニングデータによってトレーニングするステップと、
前記２つ以上の散乱信号を入力として前記機械学習アルゴリズムに提供するステップと、
前記機械学習アルゴリズムの出力に基づいて、前記サンプル内の１つ又は複数の欠陥の前記深度を決定するステップと、
を含む、請求項２６に記載の検査システム。
【請求項３３】
前記１つ又は複数の欠陥は、
前記サンプル内に埋設された１つ又は複数の粒子
を含む、請求項２６に記載の検査システム。
【請求項３４】
前記１つ又は複数の照明光学部品は、対物レンズを含み、前記立体角の第１範囲は、前記対物レンズの開口数内の立体角の第１サブセットを含み、少なくとも収集角の第２セットが、前記対物レンズの前記開口数内の立体角の第２サブセットを含む、請求項２６に記載の検査システム。
【請求項３５】
前記第１及び第２収集チャネルは、方位的に対称である、請求項３４に記載の検査システム。
【請求項３６】
前記第２収集チャネルからの前記１つ又は複数の散乱信号は、
前記第２偏光器の２つの直交方位に基づく２つの散乱信号
を含む、請求項３５に記載の検査システム。
【請求項３７】
前記第１収集チャネルからの前記１つ又は複数の散乱信号は、
前記第１偏光器の単一方位に基づく１つの散乱信号
を含む、請求項３６に記載の検査システム。
【請求項３８】
前記１つ又は複数の照明光学部品は、前記照明を前記照明源から斜入射角で前記サンプルまで導く、請求項２６に記載の検査システム。
【請求項３９】
前記２つ以上の散乱信号のうちの少なくとも１つは、
暗視野散乱信号
を含む、請求項３８に記載の検査システム。
【請求項４０】
前記１つ又は複数の照明光学部品は、前記照明を前記照明源から垂直入射角で前記サンプルまで導く、請求項２６に記載の検査システム。
【請求項４１】
前記２つ以上の散乱信号のうちの少なくとも１つは、
明視野散乱信号
を含む、請求項４０に記載の検査システム。
【請求項４２】
１つ又は複数の散乱信号を第１収集チャネルから受け取るステップであって、前記第１収集チャネルは、照明ビームに応じた立体角の第１範囲内のサンプルからの光を収集するための第１検出器を含み、前記第１収集チャネルは、前記第１検出器に入射する前記サンプルからの前記光の偏光を制御するための第１調節可能偏光器を更に含み、前記第１収集チャネルからの前記１つ又は複数の散乱信号は、前記第１調節可能偏光器の１つ又は複数の偏光状態に基づいている、ステップと、
１つ又は複数の散乱信号を第２収集チャネルから受け取るステップであって、前記第２収集チャネルは、立体角の第２範囲内の前記照明ビームに応じた前記サンプルからの光を収集するための第２検出器を含み、前記第２収集チャネルは、前記第２検出器に入射する前記サンプルからの前記光の偏光を制御するための第２調節可能偏光器を更に含み、前記第２収集チャネルからの前記１つ又は複数の散乱信号は、前記第２調節可能偏光器の１つ又は複数の偏光状態に基づいている、ステップと、
前記第１及び第２収集チャネルからの前記１つ又は複数の散乱信号をトレーニングデータと比較することに基づいて、前記サンプル内の１つ又は複数の欠陥の深度を決定するステップであって、前記トレーニングデータは、既知の深度に既知の欠陥を有するトレーニングサンプルからの散乱信号を含む、ステップと、
を含む検査方法。
【請求項４３】
前記２つ以上の散乱信号をトレーニングデータと比較することに基づいて、前記サンプル内の１つ又は複数の欠陥の深度を決定するステップは、
前記トレーニングデータに基づいて欠陥深度を決定するための１つ又は複数のルールを生成するステップと、
前記サンプル内の前記１つ又は複数の欠陥の前記深度を決定するために前記１つ又は複数のルールを前記２つ以上の散乱信号に適用するステップと、
を含む、請求項４２に記載の検査方法。
【請求項４４】
前記２つ以上の散乱信号をトレーニングデータと比較することに基づいて、前記サンプル内の１つ又は複数の欠陥の深度を決定するステップは、
前記トレーニングデータによって機械学習アルゴリズムをトレーニングするステップと、
前記２つ以上の散乱信号を入力として前記機械学習アルゴリズムに提供するステップと、
前記機械学習アルゴリズムの出力に基づいて、前記サンプル内の１つ又は複数の欠陥の前記深度を決定するステップと、
を含む、請求項４２に記載の検査方法。
【発明の詳細な説明】
【技術分野】
【０００１】
本開示は、概して、欠陥検査に関し、より具体的には、欠陥の深度決定に関する。
【背景技術】
【０００２】
関連出願の相互参照
本出願は、発明者がＨａｉｐｉｎｇ  Ｚｈａｎｇ及びＡｌｅｘ  Ｙｕであり、２０１８年６月１９日に出願された、名称が「ＥＭＢＥＤＤＥＤ  ＰＡＲＴＩＣＬＥ  ＤＥＰＴＨ  ＢＩＮＮＩＮＧ  ＵＳＩＮＧ  ＣＨＡＮＮＥＬ  ＢＡＳＥＤ  ＭＥＴＨＯＤ  ＢＹ  ＭＯＲＥ  ＴＨＡＮ  ＴＷＯ  ＳＣＡＮＳ」である米国仮特許出願第６２／６８７，１２３号の米国特許法第１１９条（ｅ）項の下での利益を主張し、この出願は、全体として参照によって本明細書に組み込まれる。
【０００３】
３Ｄメモリ積層体等の半導体デバイスは、何十又は何百もの薄膜層を含むことがある多層薄膜積層体を含む。かかる多層薄膜積層体は、薄膜層のうちのいずれかに埋設された欠陥の影響を受けることがあり、一般的に、欠陥周波数及び欠陥が生じている深度の両方を監視することが望ましい。例えば、欠陥深度データは、欠陥の影響を受ける特定の作製ステップを正確に指摘してもよい。しかし、それぞれの層の堆積後に多層サンプルを検査することは、一般に望ましくなく及び／又は非実用的である。したがって、多層サンプルが、一般に、複数層又は更に薄膜積層体全体の堆積の後に、欠陥について検査されてもよい。
【先行技術文献】
【特許文献】
【０００４】
【特許文献１】米国特許出願公開第２０１８／０１０３２４７号
【特許文献２】米国特許第６１８１４２０号
【発明の概要】
【発明が解決しようとする課題】
【０００５】
薄膜積層体の数が増加するにつれて、埋設欠陥についての深度情報を決定することが、課題の増加を呈する。例えば、多層積層体内の埋設欠陥の深度が、一般に、集束イオンビーム（ＦＩＢ）ミリング等の侵襲性手法を用いて正確に決定されることがある。しかし、侵襲性測定技術は、時間がかかることがあり、そして、製造サンプルよりもむしろ代表的な試験サンプルにだけ適用されることがある。そのため、上記の欠陥を除去するシステム及び方法を考案することが望ましい。
【課題を解決するための手段】
【０００６】
検査システムが、本開示についての１つ又は複数の例示的実施形態に従って開示される。一例示的実施形態では、システムは、照明ビームを生成するように構成された照明源を含む。別の一例示的実施形態では、システムは、照明ビームをサンプルまで導くための１つ又は複数の照明光学部品を含む。別の一例示的実施形態では、システムは、少なくとも第１検出器を含む第１収集チャネルを含むことにより、立体角の第１範囲内の照明ビームに応じたサンプルからの光を収集する。別の一例示的実施形態では、第１収集チャネルは、第１偏光器を更に含むことにより、第１検出器に入射するサンプルから光の偏光を制御する。別の一例示的実施形態では、システムは、少なくとも第２検出器を含む第２収集チャネルを含むことにより、立体角の第２範囲内の照明源からの照明に応じたサンプルからの光を収集する。別の一例示的実施形態では、第２収集チャネルは、第２偏光器を更に含むことにより、第２検出器に入射するサンプルからの光の偏光を制御する。別の一例示的実施形態では、システムは、制御装置を含む。別の一例示的実施形態では、制御装置は、２つ以上の散乱信号を受け取り、２つ以上の散乱信号は、第１偏光器の１つ又は複数の方位に基づく第１収集チャネルからの１つ又は複数の散乱信号と、第２偏光器の１つ又は複数の方位に基づく第２収集チャネルからの１つ又は複数の散乱信号と、を含む。別の一例示的実施形態では、制御装置は、２つ以上の散乱信号をトレーニングデータと比較することに基づいてサンプル内の１つ又は複数の欠陥の深度を決定し、トレーニングデータは、既知の深度に既知の欠陥を有するトレーニングサンプルからの散乱信号を含む。
【０００７】
検査システムが、本開示の１つ又は複数の例示的実施形態に従って開示される。一例示的実施形態では、システムは、制御装置を含む。別の一例示的実施形態では、制御装置は、第１収集チャネルから１つ又は複数の散乱信号を受け取る。別の一例示的実施形態では、第１収集チャネルは、照明ビームに応じた立体角の第１範囲内のサンプルからの光を収集するための第１検出器を含み、そして、第１検出器に入射するサンプルから光の偏光を制御するための第１調節可能偏光器を更に含み、第１収集チャネルからの１つ又は複数の散乱信号は、第１調節可能偏光器の１つ又は複数の偏光状態に基づいている。別の一例示的実施形態では、制御装置は、第２収集チャネルから１つ又は複数の散乱信号を受け取る。別の一例示的実施形態では、第２収集チャネルは、立体角の第２範囲内の照明ビームに応じたサンプルからの光を収集する第２検出器を含み、第２検出器に入射するサンプルからの光の偏光を制御するための第２調節可能偏光器を更に含み、第２収集チャネルからの１つ又は複数の散乱信号は、第２調節可能偏光器の１つ又は複数の偏光状態に基づいている。別の一例示的実施形態では、制御装置は、第１及び第２収集チャネルからの１つ又は複数の散乱信号をトレーニングデータと比較することに基づいてサンプル内の１つ又は複数の欠陥の深度を決定し、トレーニングデータは、既知の深度に既知の欠陥を有するトレーニングサンプルからの散乱信号を含む。
【０００８】
検査方法が、本開示の１つ又は複数の例示的実施形態に従って開示される。一例示的実施形態では、方法は、第１収集チャネルから１つ又は複数の散乱信号を受け取ることを含む。別の一例示的実施形態では、第１収集チャネルは、照明ビームに応じた立体角の第１範囲内のサンプルからの光を収集する第１検出器を含み、そして、第１検出器に入射するサンプルからの光の偏光を制御するための第１調節可能偏光器を更に含み、第１収集チャネルからの１つ又は複数の散乱信号は、第１調節可能偏光器の１つ又は複数の偏光状態に基づいている。別の一例示的実施形態では、方法は、第２収集チャネルからの１つ又は複数の散乱信号を受け取ることを含む。別の一例示的実施形態では、第２収集チャネルは、立体角の第２範囲内の照明ビームに応じたサンプルからの光を収集する第２検出器を含み、そして、第２検出器に入射するサンプルからの光の偏光を制御するための第２調節可能偏光器を更に含み、第２収集チャネルからの１つ又は複数の散乱信号は、第２調節可能偏光器の１つ又は複数の偏光状態に基づいている。別の一例示的実施形態では、方法は、第１及び第２収集チャネルからの１つ又は複数の散乱信号をトレーニングデータと比較することに基づいてサンプル内の１つ又は複数の欠陥の深度を決定することを含み、トレーニングデータは、既知の深度に既知の欠陥を有するトレーニングサンプルからの散乱信号を含む。
【０００９】
理解すべきは、上記の概要及び以下の詳細な説明は、単に例示的で説明的であるにすぎず、必ずしもクレームされるような発明の限定であるわけではないことである。添付図面が、明細書の一部に組み込まれてこれを構成し、そして、概要と共に本発明の実施形態を例示し、本発明の原理を説明するのに役立つ。
【図面の簡単な説明】
【００１０】
本開示の多数の長所が、以下の添付図面への参照によって当業者によってより良好に理解されることがある。
【００１１】
【図１Ａ】本開示の１つ又は複数の実施形態に従う検査システムを示す概念図である。
【図１Ｂ】本開示の１つ又は複数の実施形態に従う検査ツールを示す概念図である。
【図１Ｃ】本開示の１つ又は複数の実施形態に従う、斜入射角における照明に応じた立体角の２つの異なる範囲内のサンプルからの光と関連する散乱信号を生成するための２つの収集チャネルを含む検査ツールを示す概念図である。
【図１Ｄ】本開示の１つ又は複数の実施形態に従う、垂直入射角での照明に応じた立体角の２つの異なる範囲内のサンプルからの光と関連する散乱信号を生成するための２つの収集チャネルを含む検査ツールを示す概念図である。
【図２】本開示の１つ又は複数の実施形態に従う、異なる深度にある埋設欠陥と関連するシミュレートされた散乱信号とともに基板上に堆積された酸化物材料と窒化物材料の交互する層対を含む多層サンプルについての側面図である。
【図３】本開示の１つ又は複数の実施形態に従う、サンプル内の欠陥の深度を決定するための方法において実行されるステップを示す流れ図である。
【図４】本開示の１つ又は複数の実施形態に従う、第１及び第２測定条件をそれぞれ用いるサンプルと関連する散乱信号を含むトレーニングデータについてのプロットである。
【図５】本開示の１つ又は複数の実施形態に従う、第３及び第４測定条件をそれぞれ用いるサンプルと関連する散乱信号を含むトレーニングデータについてのプロットである。
【図６】本開示の１つ又は複数の実施形態に従う、それぞれ第５及び第６測定条件を用いるサンプルと関連する散乱信号を含むトレーニングデータについてのプロットである。
【図７】本開示の１つ又は複数の実施形態に従う、第７及び第８測定条件をそれぞれ用いるサンプルに関連する散乱信号を含むトレーニングデータについてのプロットである。
【発明を実施するための形態】
【００１２】
ここで、開示される主題への言及が詳細になされ、当該主題が添付図面において示される。本開示は、特定の実施形態及びその具体的特性に関して特に表され説明されている。本明細書で記述される実施形態は、限定ではなく、むしろ例示的である。形式及び詳細における様々な変形及び修正が、本開示の趣旨及び範囲から逸脱することなく成されてもよいことが、当業者に直ちに明らかになるはずである。
【００１３】
本開示の実施形態は、１つ又は複数の光学走査に基づいた、サンプル内の埋設欠陥の非侵襲性の深度決定を目的とする。ここで認識されるのは、欠陥の光散乱識別特性が、広範囲にわたる構造要因及び測定条件に一般に依存することである。例えば、欠陥散乱信号は、欠陥及びサンプル両方の構造及び構成に依存することがある。埋設粒子、クラック、又は空隙を含むがこれに限定されない多重タイプの欠陥が、作製されたサンプル内に存在することがある。散乱信号は、それで、周囲材料に関連してこれらの欠陥のサイズ、構造、及び構成に依存することがある。別の一例として、光散乱識別特性が、測定条件に依存してもよく、当該測定条件としては、入射光のスペクトル、入射光の偏光、収集された光の偏光、又は光が収集される立体角等であり、これに限定されない。
【００１４】
したがって、異なる測定条件によって生成された多重光学散乱信号が利用されて、散乱信号から欠陥深度情報を抽出してもよい。本開示についての追加実施形態は、異なる測定構成に基づいて２つ以上の散乱信号を提供する多重チャネル検査システムを目的とする。これに関して、埋設欠陥の深度は、２つ以上の散乱信号の比較に基づいて決定されてもよい。いくつかの実施形態では、多重チャネル検査システムは、多重測定構成によって、サンプルに照明ビームを導いてサンプルから光を収集してもよい。例えば、多重チャネル検査システムは、サンプルの単一走査中に、立体角の２つの異なる範囲においてサンプルから光を収集するように構成された２つ以上のチャネルを含んでもよい。更に、それぞれのチャネルが、偏光器を含むことにより、収集光の偏光を制御してもよい。したがって、それぞれのチャネルは、収集光の偏光と入射照明ビームとの異なる組合せに基づいて、様々な散乱信号を提供してもよい。
【００１５】
本開示の追加実施形態は、固定焦点高度において散乱信号を生成するように導かれる。例えば、多重散乱信号が、対物レンズに対して固定焦点位置にあるサンプルによって生成されて、サンプルを照明及び／又はサンプルからの光を収集してもよい。これに関して、多重散乱信号は、効率的に正確に生成されてもよい。
【００１６】
本開示の更なる実施形態は、埋設欠陥の深度決定を誘導するためのトレーニングデータを生成することを目的とする。例えば、トレーニングデータは、既知の深度に既知の欠陥を含む校正サンプルについての分析に基づいてもよい。トレーニングデータは、（例えば、既知の場所にある既知の欠陥を用いて作製されたトレーニングサンプルからの）実験データのいずれかの組合せ、及び（例えば、既知の場所にある既知の欠陥を有するサンプルによる散乱信号のシミュレーションからの）シミュレーションデータを含んでもよい。
【００１７】
本開示の更なる実施形態は、トレーニングデータに基づいて欠陥深度と散乱信号との間の関係を同定することを目的とする。例えば、トレーニングデータが用いられて、一連の散乱信号比較に基づいて欠陥を深度値域に分類するためのルールを決定してもよい。別の一例として、トレーニングデータが、機械学習アルゴリズムのためのトレーニングデータとして用いられてもよい。
【００１８】
本開示の追加実施形態は、異なる測定構成における２つ以上の散乱信号及び欠陥深度と散乱信号との間で同定された関係に基づいて、未知の欠陥（例えば、生産ラインサンプル）を含む関心のサンプルの欠陥の深度を決定することを目的とする。いくつかの場合、測定された欠陥の深度値が、直接決定されていてもよい。いくつかの場合、欠陥が、選択された深度範囲（例えば、値域）に分類される。
【００１９】
様々な技術が用いられて、２つ以上の散乱信号及び欠陥深度と散乱信号との間で同定された関係に基づいて欠陥深度を決定してもよい。いくつか実施形態では、１セットのルールが、トレーニングデータに基づいて生成され、次いで、欠陥深度を決定するために用いられる。例えば、（選択された測定コンフィギュレーションと関連する）第１セットの散乱信号の比較が、表面下の欠陥から表面レベルの欠陥を識別してもよく、一方、第２セットの散乱信号が、残りの深度範囲（例えば、値域）から第１深度範囲（例えば、第１値域）内の欠陥を識別してもよいこと等であってもよい。これに関して、それぞれの関心の深度範囲内の欠陥が、異なる散乱信号同士の間の選択された一連の比較に基づいて識別されてもよい。別の一例として、欠陥深度が、多次元パターン認識技術によって決定されてもよい。例えば、機械学習アルゴリズムは、トレーニング段階中のトレーニングデータに基づいて、欠陥深度と散乱信号との間の関係を決定するためにトレーニングされてもよい。検査段階中に、関心のサンプルにおける欠陥深度が、関心のサンプルからの散乱信号に基づいて、機械学習アルゴリズムによって提供されてもよい。
【００２０】
ここで図１〜６を参照すると、本開示の１つ又は複数の実施形態に従う検査システム１００がより詳細に説明される。
【００２１】
図１Ａは、本開示の１つ又は複数の実施形態に従う検査システム１００を示す概念図である。一実施形態では、検査システム１００は、サンプルの１つ又は複数の性質を特性評価するように構成された検査ツール１０２を含む。別の一実施形態では、検査システム１００は、検査ツール１０２に通信可能に結合された制御装置１０４を含む。別の一実施形態では、制御装置１０４は、メモリ媒体１０８又はメモリ上に保持されたプログラム命令を実行するように構成された１つ又は複数のプロセッサ１０６を含む。制御装置１０４の１つ又は複数のプロセッサ１０６は、当該技術分野で公知のいずれかの処理要素を含んでもよい。この意味で、１つ又は複数のプロセッサ１０６は、アルゴリズム及び／又は命令を実行するように構成されたいずれかのマイクロプロセッサタイプのデバイスを含んでもよい。更に、メモリ媒体１０８は、当該技術分野で公知のいずれかの記憶媒体を含んでもよく、当該記憶媒体は、関連する１つ又は複数のプロセッサ１０６によって実行可能なプログラム命令を記憶するのに適している。例えば、メモリ媒体１０８は、非一過性メモリ媒体を含んでもよい。追加の例では、メモリ媒体１０８として、読取り専用メモリ（ＲＯＭ）、ランダムアクセスメモリ（ＲＡＭ）、磁気又は光学記憶デバイス（例えば、ディスク）、磁気テープ、ソリッドステートドライブ等が挙げられるが、これに限定されない。更に留意するのは、メモリ媒体１０８は、１つ又は複数のプロセッサ１０６と共に共通の制御装置ハウジング内に収容されてもよいことである。
【００２２】
制御装置１０４の１つ又は複数のプロセッサ１０６は、本開示全体を通して説明した様々なプロセスステップのうちのいずれかを実行してもよい。例えば、制御装置１０４の１つ又は複数のプロセッサ１０６は、サンプルと関連する検査ツール１０２から散乱信号を受け取り、散乱信号に基づいて１つ又は複数の欠陥についての深度情報を決定してもよい。
【００２３】
図１Ｂは、本開示の１つ又は複数の実施形態に従う、検査ツール１０２を示す概念図である。一実施形態では、検査ツール１０２は、照明ビーム１１２を生成するための照明源１１０を含む。照明ビーム１１２は、１つ又は複数の選択された光の波長を含んでもよく、当該光は、紫外線（ＵＶ）放射、可視放射、又は赤外線（ＩＲ）放射を含むが、これに限定されない。例えば、照明源１１０は、約２６６ｎｍの波長を有する照明ビーム１１２を提供してもよいが、提供する必要はない。
【００２４】
照明源１１０は、１つ又は複数の狭帯域レーザ源、１つ又は複数の広帯域レーザ源、１つ又は複数のスーパーコンティニュームレーザ源、１つ又は複数の白色光レーザ源等を含んでもよいが、これに限定されない。別の一実施形態では、照明源１１０は、レーザ維持プラズマ（ＬＳＰ）源等であって、これに限定されないレーザ駆動光源（ＬＤＬＳ）を含む。例えば、照明源１１０は、ＬＳＰランプ、ＬＳＰ電球、又はプラズマ状態にレーザ源によって励起されると、広帯域照明を放出してもよい１つ又は複数の要素を具備するのに適したＬＳＰチャンバを含んでもよいが、これに限定されない。これに関して、照明源１１０は、高いコヒーレンス（例えば、高い空間コヒーレンス及び／又は時間コヒーレンス）を有する照明ビーム１１２を提供してもよい。別の一実施形態では、照明源１１０は、ランプ源を含む。別の一例として、照明源１１０は、アークランプ、放電ランプ、無電極ランプ等を含んでもよいが、これに限定されない。これに関して、照明源１１０は、低いコヒーレンス（例えば、低い空間コヒーレンス及び／又は時間コヒーレンス）を有する照明ビーム１１２を提供してもよい。
【００２５】
別の一実施形態では、照明源１１０は、同調可能照明ビーム１１２を提供する。例えば、照明源１１０は、照明の同調可能源（例えば、１つ又は複数の同調可能レーザ等）を含んでもよい。別の一例として、照明源１１０は、同調可能フィルタに結合された広帯域照明源を含んでもよい。
【００２６】
照明源１１０は、いずれかの時間プロファイルを有する照明ビーム１１２を更に提供してもよい。例えば、照明ビーム１１２は、連続時間プロファイル、変調型時間プロファイル、パルス型時間プロファイル等を有してもよい。
【００２７】
別の一実施形態では、照明源１１０は、照明経路１１６を経由してサンプル１１４まで照明ビーム１１２を導き、サンプル１１４から発出する放射を、収集経路１１８を経由して収集する。照明経路１１６は、照明ビーム１１２を修正及び／又は調節するのに適した１つ又は複数の照明ビーム調節構成要素１２０を含んでもよい。例えば、１つ又は複数の照明ビーム調節構成要素１２０は、１つ又は複数の偏光器、１つ又は複数のフィルタ、１つ又は複数のビームスプリッタ、１つ又は複数の拡散器、１つ又は複数のホモジェナイザ、１つ又は複数のアポタイザ、１つ又は複数のビームシェーパ、あるいは１つ又は複数のレンズを含んでもよいが、これに限定されない。
【００２８】
別の一実施形態では、照明経路１１６は、照明集束要素１２２を用いて、サンプルステージ１２４上に配設されたサンプル１１４上に照明ビーム１１２を集束させてもよい。別の一実施形態では、収集経路１１８は、サンプル１１４からの光を収集するための収集集束要素１２６を含んでもよい。例えば、検出器１３０は、サンプル１１４から散乱された及び／又は反射された収集光１２８を受け取ってもよい。別の一例として、検出器１３０は、サンプル１１４によって生成された収集光１２８（例えば、照明ビーム１１２の吸収と関連する発光等）を受け取ってもよい。
【００２９】
別の一実施形態では、検査ツール１０２は、サンプル１１４から発出する放射を、収集経路１１８を通して捕捉するように構成された１つ又は複数の検出器１３０を含む。検出器１３０は、サンプル１１４から受け取られた照明を測定するのに適した当該技術分野で公知のいずれかのタイプの光学検出器を含んでもよい。例えば、検出器１３０は、電荷結合デバイス（ＣＣＤ）検出器、相補金属酸化物半導体（ＣＭＯＳ）検出器、時間遅延積分（ＴＤＩ）検出器、光電子倍増管（ＰＭＴ）、アバランシェフォトダイオード（ＡＰＤ）等を含んでもよいが、これに限定されない。別の一実施形態では、検出器１３０は、収集光１２８の波長を識別するのに適した分光検出器を含んでもよい。
【００３０】
収集経路１１８は、収集光１２８を誘導する及び／又は修正するための任意の数の収集ビーム調節要素１３２を更に含んでもよく、当該収集ビーム調節要素は、１つ又は複数のレンズ、１つ又は複数のフィルタ、１つ又は複数の偏光器、あるいは１つ又は複数の位相板を含むが、これに限定されない。これに関して、検査ツール１０２は、検出器１３０に入射する光の偏光を制御してもよい。更に、検査ツール１０２は、任意タイプの検査及び／又は計測ツールとして動作してもよく、当該ツールは、照明についての１つ又は複数の角度を有する分光楕円偏光計、ミューラーマトリックス要素を（例えば、回転式補償器を用いて）測定するための分光楕円偏光計、単一波長楕円偏光計、角度分解式楕円偏光計（例えば、ビームプロファイル楕円偏光計）、分光反射率計、単一波長反射率計、角度分解式反射率計（例えば、ビームプロファイル反射率計）、又は散乱計等であるが、これに限定されない。
【００３１】
別の一実施形態では、示してはいないが、検査ツール１０２は、サンプル１１４を囲む環境の構成及び／又は圧力を調節するのに適したチャンバを含む。例えば、検査ツール１０２は、サンプル１１４を囲む環境の構成及び／又は圧力を制御するために、１つ又は複数のガスタンク、１つ又は複数のバルブ、１つ又は複数のホース、１つ又は複数のポンプ、１つ又は複数の圧力調節装置等を含んでもよい。別の一実施形態では、検査ツール１０２は、サンプル１１４を囲む環境として、不活性ガス、又は照明源１１０によって提供される波長に実質的に透明なガスを提供するように構成されている。
【００３２】
ここで留意するのは、図１Ｂに示す検査ツール１０２は、サンプル１１４のマルチアングル照明及び／又は１つ又は複数の検出器１３０上での多重散乱信号の収集を容易にすることにより、連続して又は同時に多重散乱信号を生成してもよいことである。
【００３３】
検査ツール１０２は、当該技術分野で公知のいずれかのタイプの撮像を提供するように更に構成されてもよく、当該撮像は、明視野撮像、暗視野撮像、位相差撮像等であるが、これに限定されない。例えば、検査ツール１０２は、いずれかの入射角でサンプル１１４まで照明ビーム１１２を導いてもよい。更に、検査ツール１０２は、照明経路１１６及び／又は収集経路１１８内に開口又は位相板のいずれかの組合せを含んでもよい。
【００３４】
ここで図１Ｃ及び１Ｄを参照して、斜及び垂直入射に基づく検査ツール１０２の機器構成が、より詳細に説明される。図１Ｃ及び１Ｄの検査ツール１０２の機器構成は、異なる範囲の立体角を含む散乱信号を生成するための２つの収集チャネルを含む。しかし、理解すべきは、図１Ｃ及び１Ｄの検査ツール１０２の機器構成は、単に例示目的で提供されており、限定として解釈されてはならないことである。むしろ、検査ツール１０２は、任意の数の立体角範囲に基づく任意の数の収集チャネルを提供してもよい。
【００３５】
図１Ｃは、本開示の１つ又は複数の実施形態に従う、斜入射角での照明に応じた立体角の２つの異なる範囲内のサンプル１１４からの光と関連する散乱信号を生成するための２つの収集チャネルを含む検査ツール１０２を示す概念図である。これに関して、図１Ｃに示す検査ツール１０２は、サンプル１１４についての暗視野撮像を提供してもよいが、これに限定されない。一実施形態では、検査ツール１０２は、サンプル１１４から発出する放射を収集するための対物レンズ１３４を含む。別の一実施形態では、検査ツール１０２は、収集光１２８の第１部分１２８ａを第１検出器１３０ａまで導き、そして、収集光１２８の第２部分１２８ｂが第２検出器１３０ｂまで伝播することを可能にするように構成されたミラー１３６を含む。更に、集束レンズ１３８が、収集光１２８の第２部分１２８ｂを第２検出器１３０ｂに集束させてもよい。これに関して、第１部分１２８ａは、収集光１２８の立体角の第１範囲を含んでもよく、第２部分１２８ｂは、収集光１２８の立体角の第２範囲を含んでもよい。
【００３６】
更に、ミラー１３６は、収集光１２８を方位的に対称なチャネルに分割することを提供するように成形されてもよいが、そうである必要はない。例えば、収集光１２８の第１部分１２８ａは、（例えば、対物レンズ１３４の光軸１４０から第１立体角１４２までの範囲に及ぶ）立体角の方位的に対称な円錐を含んでもよく、そして、収集光１２８の第２部分１２８ｂは、（例えば、第１立体角１４２から第２立体角１４４までの範囲に及ぶ）立体角の方位的に対称な環状リングを含んでもよい。
【００３７】
図１Ｄは、本開示の１つ又は複数の実施形態に従う、垂直入射角での照明に応じた立体角の２つの異なる範囲内のサンプル１１４からの光と関連する散乱信号を生成するための２つの収集チャネルを含む検査ツール１０２を示す概念図である。一実施形態では、図１Ｄに示すように、照明源１１０は、照明ビーム１１２を垂直入射角でサンプル１１４まで導くように構成されている。したがって、収集光１２８の第１部分１２８ａは、明視野散乱信号に関連してもよいが、そうである必要はなく、そして、収集光１２８の第２部分１２８ｂは、暗視野散乱信号と関連してもよいが、そうである必要はない。
【００３８】
図１Ｃ及び１Ｄを概して参照すると、検査ツール１０２は、異なる測定機器構成と関連する様々な散乱信号を提供するように構成されてもよい。例えば、照明ビーム調節構成要素１２０は、照明偏光器１４６を含むことにより、照明ビーム１１２の偏光をいずれかの選択された偏光状態に調整してもよい。別の一例として、収集ビーム調節要素１３２は、収集光１２８の第１部分１２８ａの偏光をいずれかの選択された偏光状態に調整するための第１収集偏光器１４８、及び／又は収集光１２８の第２部分１２８ｂの偏光をいずれかの選択された偏光状態に調整するための第２収集偏光器１５０を含んでもよい。
【００３９】
様々な散乱信号が、同時に又は連続して生成されてもよい。例えば、選択された偏光状態によって構成された収集光１２８の第１部分１２８ａ及び第２部分１２８ｂに関連する散乱信号が、同時に収集されてもよい。更に、追加の散乱信号が、検査ツール１０２の機器構成（例えば、照明ビーム１１２の波長、照明ビーム１１２の偏光、及び／又は収集光１２８のいずれかの部分の偏光）を修正した後に連続して生成されてもよい。
【００４０】
しかし、理解すべきは、図１Ｂ〜１Ｄ及び関連する説明は、単に例示のために提供されており、限定として解釈されるべきではないことである。検査ツール１０２は、多重散乱信号を生成するのに適したいずれかの機器構成を提供するように構成可能であってもよい。例えば、検査ツール１０２は、任意の数の立体角範囲内に収集光１２８を含む散乱信号を生成するのに適した任意の数の分割ミラー（例えば、ミラー１３６）、開口、マスク等を含んでもよい。例えば、検査ツールは、３つ以上のチャネルを提供して、３つ以上の立体角範囲と関連する散乱信号を生成してもよい。更に、検査ツール１０２は、任意の数の照明源に基づいて明視野又は暗視野散乱信号のいずれかの組合せを提供するように構成されてもよい。
【００４１】
ここで図２を参照すると、欠陥深度と散乱信号との間の関係が、概して説明される。埋設欠陥の散乱信号は、概して様々な要因に依存する場合があり、当該要因は、欠陥深度、欠陥の構成、サンプル１１４の構成、入射光の偏光、及び収集光の偏光等であるが、これに限定されない。したがって、埋設欠陥と関連する深度情報は、散乱信号の測定値から抽出されてもよい。更に、様々な測定機器構成を用いて散乱信号を測定することは、追加の深度依存データを提供することによって、深度決定の感度及び頑健さを増加させてもよい。それに加えて、いずれかの予想される欠陥だけでなくサンプル１１４の構成についての事前の知見が用いられて、散乱信号に基づいて欠陥深度を更に決定してもよい。例えば、散乱挙動が、所定のサンプル内での異なる深度にある異なる欠陥構成に対してモデル化されるか又は実験的に分析されることにより、トレーニングデータを提供してもよい。次いで、トレーニングデータが用いられて、関心のサンプル内の欠陥の深度決定を誘導してもよい。
【００４２】
図２は、本開示の１つ又は複数の実施形態に従う多層サンプル１１４についての側面図であり、当該多層サンプルは、異なる深度にある埋設欠陥２１０（この場合、シリカ球）に関連するシミュレートされた散乱信号２０８ａ〜ｅと共に、基板２０６（例えば、シリコン等）上に堆積された酸化物材料２０２と窒化物材料２０４との交互する層対を含む。例えば、光学測定条件とＸ方向に沿った斜角での照明との所定のセットの下で、サンプル１１４の表面上の欠陥２１０ａの散乱部位が、散乱信号２０８ａを提供してもよく、深さ６層目の欠陥２１０ｂが、散乱信号２０８ｂを提供してもよく、深さ２０層目の欠陥２１０ｃが、散乱信号２０８ｃを提供してもよく、深さ３４層目の欠陥２１０ｄが、散乱信号２０８ｄを提供してもよく、深さ４８層目の欠陥２１０ｅが、散乱信号２０８ｅを提供してもよい。
【００４３】
図２に示すように、散乱信号２０８ａ〜ｅは、Ｚ方向に関して測定されるとき、異なる立体角（例えば、図１Ｃに示す収集光１２８の立体角の第１範囲及び立体角の第２範囲、等）で散乱信号を測定することによって捕捉されてもよい態様における深度の関数として変化する。例えば、表面レベルの欠陥２１０ａと関連する散乱信号２０８ａは、低い立体角に対して相対的に高い信号強度、及びより高い立体角に対して次第に減少する信号強度を呈する。しかし、深さ６層目の欠陥２１０ｂと関連する散乱信号２０８ｂは、立体角の関数としてより均一に分散された信号強度を呈する。更に、散乱信号２０８ｃ〜２０８ｅによって示すように、散乱強度は、欠陥深度が増大するにつれて、概して減少し、立体角がより大きい程、より集中した状態になる。（例えば、図１Ｃ等に示すように）別個の散乱信号を様々な範囲の立体角に提供する検査ツール１０２は、別個の立体角範囲内で捕捉された散乱強度の比較に基づいて、異なる深度にある粒子の間に差異を認めることがある。
【００４４】
それに加えて、散乱信号２０８ａ〜ｅを概して参照すると、信号強度は、概してＺ方向について方位的に対称であるけれども、Ｘ軸に沿って指向性が増加している（例えば、前方散乱及び／又は後方散乱する）。したがって、方位的な非対称性を感知する検査ツール１０２が、異なる方位角における散乱強度の比較に基づいて、異なる深度にある粒子の間に差異を認めることがある。
【００４５】
更に、図２に示さないけれども、散乱光（例えば、収集光１２８）の偏光は、欠陥深度の関数として変化する場合があり得る。したがって、入射ビーム（例えば、照明ビーム１１２）の偏光と収集信号（例えば、収集光１２８）との異なる比較に基づく散乱信号の測定が用いられることにより、異なる深度にある粒子の間に差異を認めてもよい。例えば、表面にある又はその近くにある欠陥２１０が、入射光（例えば、照明ビーム１１２）の偏光状態を保持する光を散乱させてもよく、一方、表面のずっと下の欠陥２１０が、入射光と異なる偏光状態のパワーの増加を表すことがあってもよいが、そうである必要はない。
【００４６】
理解すべきは、図２及び関連する説明が、単に例示目的のためにだけ提供され、限定として解釈されるべきではないことである。例えば、サンプル１１４は、サンプル容積内に埋設された欠陥２１０を有する中実のサンプル、埋設欠陥２１０を有する厚膜、又は任意の数の薄膜層を有する多層薄膜積層体を含むいずれかのタイプのサンプルを含んでもよいが、これに限定されない。別の一例として、サンプル１１４は、いずれかの構成の１つ又は複数の層を含んでもよく、図２に示すような酸化物又は窒化物層に限定されない。更に、埋設欠陥２１０は、周囲材料と同じか又は異なる構成の粒子、クラック、又は空隙であって、これに限定されないものを含むいずれかのタイプの埋設欠陥であってもよい。したがって、欠陥２１０の深度の関数としての散乱信号２０８の変動が、変化することがある。更に、図２に示す散乱信号２０８ａ〜ｅは、特定の測定機器構成と関連するシミュレーションを表し、１つの非限定的なセットの仮定を組み込む。これに関して、図２の欠陥２１０及び散乱信号２０８ａ〜ｅは、散乱信号２０８が欠陥深度の関数として変化する態様についての非限定的な例を単に提供するにすぎない。
【００４７】
図３は、本開示の１つ又は複数の実施形態に従う、サンプル内の欠陥の深度を決定するための方法３００において実施されるステップを示す流れ図である。検査システム１００に関連して本明細書において以前に説明した実施形態及び実現技術は、方法３００にまで拡張するように解釈されなければならないことを出願人は、注記する。しかし、更に注記するのは方法３００は、検査システム１００の構成に限定されないことである。
【００４８】
一実施形態では、方法３００は、トレーニングサンプル内の既知の深度に既知の欠陥の散乱信号を含むトレーニングデータを生成するステップ３０２を含む。例えば、トレーニングデータは、サンプル（例えば、サンプル１１４）内の様々な深度にある代表的な欠陥（例えば、欠陥２１０）と関連する散乱信号を含んでもよい。更に、トレーニングデータ内のサンプルのサイズ及び構成並びに欠陥が、検査の期待条件とマッチングするように選択されてもよい。例えば、期待される（例えば、設計される）サンプルの構造及び構成が、典型的には周知であり、製造環境内で厳格に制御されている。期待される欠陥のタイプ、構造、及び／又は構成が、また、十分に既知であることにより、トレーニングデータが様々な深度の対応する散乱信号を含んでもよい場合があり得る。しかし、また、欠陥のタイプ、構造、及び／又は構成は、所定のプロセスについて十分に理解されていなくてもよい。したがって、トレーニングデータが広範囲にわたる欠陥と関連する散乱信号を含むことにより、検査が、欠陥深度を決定するだけでなく、欠陥を分類するために用いられてもよい。
【００４９】
トレーニングデータは、当該技術分野で公知のいずれかの技術によって生成されてもよい。一実施形態では、トレーニングデータは、異なる測定機器構成を用いる、１つ又は複数のトレーニングサンプルの多重測定（例えば、散乱信号）に基づいて生成される。例えば、検査されるべき関心のサンプルを代表するトレーニングサンプルは、既知の深度にある選択された欠陥によって作製されてもよい。トレーニングサンプルは、次いで、検査ツール（例えば、検査ツール１０２等）を用いて検査されることにより、異なる測定機器構成を用いて欠陥と関連する複数の散乱信号を生成してもよい。別の一実施形態では、トレーニングデータは、１つ又は複数のトレーニングサンプルについてのシミュレーションに基づいて生成される。例えば、検査されるべき関心のサンプルを代表するトレーニングサンプルのシミュレーションされたバージョンが、生成されてもよい。更に、関心のサンプルを検査するのに用いられるべき検査ツールによって生成されたものを代表する多重散乱信号が、シミュレーションされてもよい。シミュレーションは、厳密結合波解析（ＲＣＷＡ）等であって、これに限定されない当該技術分野で公知のいずれかの技術を用いて実行されてもよい。
【００５０】
別の一実施形態では、方法３００は、トレーニングデータに基づいて、サンプルにおける散乱信号と欠陥深度との間の関係を同定するステップ３０４を含む。更に、ステップ３０４は、トレーニングデータ内に存在する多重欠陥タイプ、構造、及び／又は構成について、サンプルにおける散乱信号と欠陥深度との間の関係を同定することを含んでもよい。
【００５１】
別の一実施形態では、方法３００は、検査ツールの２つ以上の測定機器構成と関連するサンプル（例えば、関心のサンプル）の２つ以上の散乱信号を受け取るステップ３０６を含んでもよい。例えば、検査ツール（例えば、検査ツール１０２）は、照明ビームによって試験サンプルを照明し、そして、照明ビームに応じた、試験サンプルから散乱された及び／又は反射された光に基づいて散乱信号を生成してもよい。更に、２つ以上の散乱信号は、トレーニングデータを生成するのに用いられる測定機器構成に対応してもよい。これに関して、トレーニングデータは、試験サンプルを代表してもよい。
【００５２】
本明細書で以前に説明したように、２つ以上の散乱信号は、測定パラメータの異なる組合せと関連してもよく、当該測定パラメータは、照明ビームの波長、照明ビームの偏光、収集光の偏光、及び光がサンプルから収集される立体角等であるが、これに限定されない。更に、２つ以上の散乱信号は、連続して又は同時に収集されてもよい。例えば、図１Ｃ及び１Ｄに示す検査ツール１０２は、異なる立体角範囲と関連する２つの散乱信号を同時に生成してもよい。照明ビーム１１２の波長、照明ビーム１１２の偏光、又は収集チャネル内の収集光１２８の偏光についての様々な組合せによる追加の走査が、また、任意の数の散乱信号を提供するように生成されてもよい。
【００５３】
別の一実施形態では、方法３００は、欠陥深度と（例えば、ステップ３０４において決定された）散乱信号との間で同定された関係、及び（例えば、ステップ３０６において提供された）サンプルと関連する２つ以上の散乱信号に基づいてサンプル内の欠陥の深度を決定するステップ３０８を含んでもよい。
【００５４】
トレーニングデータに基づく散乱信号とサンプル内の欠陥深度との間の関係は、当該技術分野で公知のいずれかの技術を用いて生成されてもよい。一実施形態では、異なる測定機器構成によって生成された散乱信号が比較されることにより、欠陥深度を抽出するのに用いられてもよい一連のルール又はパターンを決定してもよい。これに関して、ステップ３０４は、ルールベースの値域分類を実装してもよく、当該値域分類において、一連の分析ステップが、選択された測定機器構成による散乱信号に基づいて、欠陥を深度範囲に分類するように規定されてもよい。例えば、（選択された測定機器構成と関連する）第１セットの散乱信号についての比較が、表面下の欠陥から表面レベルの欠陥を区別してもよく、第２セットの散乱信号が、残りの深度範囲（例えば、値域）から第１深度範囲（例えば、第１値域）内の欠陥を区別してもよく、以下同様であり得る。これに関して、関心のそれぞれの深度範囲内の欠陥が、異なる散乱信号の間で選択された一連の比較に基づいて区別されてもよい。
【００５５】
ここで図４〜７を参照すると、図２に示す多層サンプル１１４に基づく欠陥範囲への欠陥深度についてのルールベースの値域分類は、本開示の１つ又は複数の実施形態に従って概して説明される。図４〜７は、多重測定条件と関連するサンプル１１４と関連する散乱信号を含むトレーニングデータについてのプロットである。したがって、トレーニングデータは、５つの場所に位置する欠陥についての測定を含み、当該欠陥とは、サンプル１１４の表面上の欠陥２１０ａ、深さ６層目に位置する欠陥２１０ｂ、深さ２０層目に位置する欠陥２１０ｃ、深さ３４層目に位置する欠陥２１０ｄ、及び深さ４８層目に位置する欠陥２１０ｅである。これらの５つの場所（表面、深さ６層目、深さ２０層目、深さ３４層目、及び深さ４８層目）は、したがって、５つの異なる深度値域を表してもよく、当該深度値域へと未知の欠陥を有する関心の追加サンプルの欠陥が分類されてもよい。理解すべきは、深度値域の数及び分布は、単に例示目的のために提供されており、限定として解釈されてはならないことである。
【００５６】
図４〜７は、検査ツール（例えば、検査ツール１０２）によって生成された散乱信号を表してもよいが、必ずしもそうでなくてもよく、当該検査ツールは、立体角の３つの異なる範囲内の図２に示すサンプル１１４から発出する光と関連する散乱信号を生成するための３つのチャネルを有する。これに関して、図４〜７に示す様々な散乱信号は、照明ビーム１１２の波長、照明ビーム１１２の偏光、収集光１２８の偏光、及び収集光１２８の立体角についての異なる組合せを表してもよい。
【００５７】
図４は、本開示の１つ又は複数の実施形態に従う、第１及び第２測定条件をそれぞれ用いるサンプル１１４と関連する散乱信号を含むトレーニングデータについてのプロット４００である。第１測定条件によって測定された欠陥の強度値が、Ｙ軸に沿ってプロットされており、そして、第２条件を用いて測定された欠陥の強度値が、Ｘ軸に沿ってプロットされている。プロット４００によって示すように、表面の欠陥２１０ａは、埋設欠陥２１０ｂ〜ｅから容易に区別可能である。例えば、境界線４０２が、埋設欠陥２１０ｂ〜ｅから表面の欠陥２１０ａを区別するように画定されてもよい。したがって、表面レベルの欠陥は、第１及び第２測定条件を用いて散乱信号を生成すること、及び境界線４０２上方にある欠陥を表面の欠陥として値域分類することによって、関心のサンプルに埋設された欠陥から区別されてもよい。以下で規定するように、したがって、追加のルールが用いられて、埋設欠陥を値域分類してもよい。
【００５８】
図５は、本開示の１つ又は複数の実施形態に従う、それぞれ第３及び第４測定条件を用いるサンプル１１４と関連する散乱信号を含むトレーニングデータについてのプロット５００である。第３測定条件によって測定された欠陥の強度値が、Ｙ軸に沿ってプロットされており、そして、第４条件を用いて測定された欠陥の強度値が、Ｘ軸に沿ってプロットされている。プロット５００によって示すように、深さ６層目の欠陥２１０ｂ及び深さ２０層目の欠陥２１０ｃは、深さ３４層目の欠陥２１０ｄ及び深さ４８層目の欠陥２１０ｅから容易に区別可能である。例えば、境界線５０２は、深さ６又は２０層目に埋設された欠陥２１０ｂ〜２１０ｃを、深さ３４又は４８層目に埋設された欠陥２１０ｄ〜２１０ｅから区別するように画定されてもよい。したがって、およそ深さ６又は２０層目の深度に埋設された関心のサンプルにおける欠陥は、第３及び第４測定条件を用いて散乱信号を生成すること、及び境界線５０２に基づいて欠陥を値域分類することによって、およそ深さ３４又は４８層目の深度に埋設された欠陥から区別されてもよい。以下で規定するように、したがって、追加のルールが用いられて、欠陥深度を更に改良してもよい。
【００５９】
図６は、本開示の１つ又は複数の実施形態に従う、それぞれ第５及び第６測定条件を用いるサンプル１１４と関連する散乱信号を含むトレーニングデータについてのプロット６００である。第５測定条件を用いて測定された欠陥の強度値が、Ｙ軸に沿ってプロットされており、そして、第６条件を用いて測定された欠陥の強度値が、Ｘ軸に沿ってプロットされている。プロット６００が示すように、深さ６層目の欠陥２１０ｂは、深さ２０層目の欠陥２１０ｃと容易に区別可能である。例えば、境界線６０２は、深さ６層目に埋設された欠陥２１０ｂを、深さ２０層目に埋設された欠陥２１０ｃから区別するように画定されてもよい。したがって、およそ深さ６層目の深度に埋設された関心のサンプルにおける欠陥は、第５及び第６測定条件を用いて散乱信号を生成すること、及び、境界線６０２に基づいて欠陥を値域分類することによって、およそ深さ２０層目の深度に埋設された欠陥から区別されてもよい。下記で規定されるように、追加のルールが次に用いられて、残りの欠陥についての欠陥深度を更に改善してもよい。
【００６０】
図７は、本開示の１つ又は複数の実施形態に従う、それぞれ第７及び第８測定条件を用いるサンプル１１４と関連する散乱信号を含むトレーニングデータについてのプロット７００である。第７測定条件によって測定された欠陥の強度値が、Ｙ軸に沿ってプロットされており、そして、第８条件を用いて測定された欠陥の強度値が、Ｘ軸に沿ってプロットされている。プロット７００が示すように、深さ３４層目の欠陥２１０ｄは、深さ４８層目の欠陥２１０ｅから容易に区別可能である。例えば、境界線７０２は、深さ３４層目に埋設された欠陥２１０ｄを、深さ４８層目に埋設された欠陥２１０ｅから区別するように規定されてもよい。したがって、およそ深さ３４層目の深度に埋設された関心のサンプルにおける欠陥が、第７及び第８測定条件を用いて散乱信号を生成すること、及び、境界線７０２に基づいて欠陥を値域分類することによって、およそ深さ４８層目の深度に埋設された欠陥から区別されてもよい。
【００６１】
関心のサンプルにおける欠陥の深度は、したがって、８つの散乱信号を生成すること、及び、連続して、トレーニングデータに基づき上記で規定されたルールに基づいて様々な散乱信号を比較することによって深度範囲（例えば、値域）へと分類されてもよい。更に、これらの散乱信号は、連続して又は同時に生成されてもよい。例えば、図１Ｃ及び１Ｄに示す検査ツール１０２は、異なる立体角範囲及び偏光と関連する３つの散乱信号を同時に生成するように構成されている。したがって、図１Ｃ及び１Ｄに示す検査ツール１０２は、３つの検査パスにおいて最大９つの散乱信号を生成してもよい。更に、理解すべきは、図４〜７及び関連する説明は、単に例示目的のために提供されており、限定として解釈されてはならないことである。欠陥深度値域分類のためのルールは、散乱信号のいずれかの組合せを比較することによって生成されてもよい。例えば、図４〜７は、（例えば、一意的な測定条件１〜８と関連する）８つの異なる散乱信号についての比較を示すけれども、欠陥深度値域分類のためのルールが、また、いずれかの選択された散乱信号と２つ以上の追加の散乱信号との比較に基づいてもよい。別の一実施形態では、欠陥深度値域分類のためのルールは、（例えば、図１Ｃ及び１Ｄに示す検査ツール１０２等によって生成された）異なる立体角範囲及び偏光による９つの異なる散乱信号を用いて生成されてもよい。それに追加して、欠陥深度値域分類のためのルールは、立体角範囲又は偏光のいずれかの組合せを用いる測定を提供するように構成された検査ツール１０２を用いて生成されてもよい。更に、深度値域分類のために導出されたルールは、関心のサンプルの具体的な特性（例えば、層の数及び構成）並びに欠陥のタイプ及び構成に依存して変化することがある。
【００６２】
別の一実施形態では、欠陥深度は、多次元パターン認識技術によって決定されてもよい。例えば、機械学習アルゴリズムは、トレーニング段階中にトレーニングデータに基づいて欠陥深度と散乱信号との間の関係を決定するようにトレーニングされてもよい。
【００６３】
多次元パターン認識は、当該技術分野で公知のいずれかの解析技術を用いて実行されてもよく、当該解析技術は、分類、ソーティング、クラスタリング、外れ値検出、信号応答計測、回帰分析、例ベースの解析（例えば、最近傍解析等）、次元縮退（例えば、因子分析、特徴抽出、主成分分析等）、教師あり学習（例えば、人工ニューラルネットワーク、サポートベクターマシン、ランダムフォレスト等）、半教師あり学習（例えば、生成モデル等）、教師なし学習（例えば、ベクトル量子化等）、ディープラーニング、又はベイズ統計学等であるが、これに限定されない。理解すべきは、解析技術及びいずれかの関連するラベルは、単に例示目的のために提供されており、限定を意図していないことである。
【００６４】
更に、関心のサンプル（例えば、試験サンプル）の欠陥深度は、検査段階中に機械学習アルゴリズムによってステップ３０８において提供されてもよい。例えば、関心のサンプルからの散乱信号は、入力として機械学習アルゴリズムに提供されてもよく、そして、欠陥深度（欠陥値又は値域のいずれか）は、ステップ３０２において同定された欠陥深度と散乱信号との間の関係に基づいて出力として提供されてもよい。
【００６５】
別の一実施形態では、方法３００は、散乱信号に基づいて欠陥を分類することを含む。例えば、方法３００は、埋設欠陥の１つ又は複数の特性を抽出することを含んでもよく、当該特性は、欠陥の構成、サイズ、構造、又はタイプ（例えば、粒子、クラック、空隙等）等であるが、これに限定されない。本明細書で以前に説明したように、トレーニングデータは、多重欠陥（例えば、異なる構成、サイズ、構造、又はタイプを有する欠陥）と関連する散乱信号を含んでもよい。したがって、欠陥特性は、深度決定に関して本明細書で説明したのと同じ又は実質的に類似する技術を用いて決定されてもよく、当該技術は、ルールベースの分類又は多次元パターン分類技術等であるが、これに限定されない。
【００６６】
別の一実施形態では、散乱信号は、固定焦点高度においてサンプルによって生成される。これに関して、検査ツール（例えば、検査ツール１０２）内のサンプルは、照明及び／又は収集光学部品（例えば、図１Ｃ及び１Ｄの対物レンズ１３４、図１Ｂの照明集束要素１２２及び／又は収集焦点調節要素１２６等）に対して固定高度に設置されてもよい。ここで認識されるのは、固定焦点高度において散乱信号を提供することは、走査信号の正確で効果的な生成を容易にしてもよいことである。例えば、走査中に（例えば、検査ツール１０２のサンプルステージ１２４を用いて）サンプルの焦点調節高度を変化させることは、固定焦点高度において信号を散乱させることよりも比較的長い取得時間を必要とすることがあり、これは処理能力に悪影響を及ぼすことがある。特に、サンプルの２次元部分にわたって欠陥を特性評価するのに適した（例えば、図２のＸ−Ｙ平面内の）２次元サンプル走査のサンプル取得時間は、多重焦点高度において信号を散乱させることが必要とされる場合、極端に長くなることがある。更に、多重焦点高度において散乱信号を取得することは、散乱信号の正確度に悪影響を及ぼすことがある誤差（例えば、サンプルステージ１２４の位置合せ誤差）をもたらすことがある。
【００６７】
本明細書で説明した主題は、時には、別の構成要素内に収容された、又はそれに接続された異なる構成要素を示す。理解すべきは、かかる示した構成が、単に例示的であるにすぎないこと、及び、実際に、同じ機能を達成する多くの別の構成が、実装されてもよいことである。概念上の意味において、同じ機能を達成するための構成要素のいずれかの配列は、所望の機能が達成されるように、効果的に「関連させられる」。それゆえに、特定の機能を達成するために本明細書で組み合わされたいずれか２つの構成要素が、所望の機能が構成又は中間構成要素にかかわらず達成されるように互いに「関連している」と考えられてもよい。同様に、そのように関連したいずれか２つの構成要素は、また、所望の機能を達成するように互いに「接続されている」又は「結合されている」と考えられてもよく、そして、そのように関連しているいずれか２つの構成要素は、また、所望の機能を達成するために互いに「接続可能である」と考えられてもよい。結合可能であることの特定の例としては、物理的に相互作用可能であること、及び／又は物理的に構成要素を相互作用すること、及び／又は無線で相互作用可能であること、及び／又は無線で構成要素を相互作用すること、及び／又は論理的に相互作用可能であること、及び／又は論理的に構成要素を相互作用することが挙げられるが、これに限定されない。
【００６８】
本開示及びそれの付随する利益のうちの多くは、前述の説明によって理解されるであろう。そして、様々な変化が、開示された主題から逸脱することなく、又はそれの具体的な利点の全てを犠牲にすることなく、構成要素の形式、構成、及び配列において成されてもよいことが明らかになるであろう。説明した形式は、単に説明的であるにすぎず、そして、かかる変化を包含し、含むことを以下のクレームが意図している。更に、本発明が添付クレームによって規定されることが理解されるべきである。
【図１Ａ】
2021527813.tif 000003
【図１Ｂ】
2021527813.tif 000004
【図１Ｃ】
2021527813.tif 000005
【図１Ｄ】
2021527813.tif 000006
【図２】
2021527813.tif 000007
【図３】
2021527813.tif 000008
【図４】
2021527813.tif 000009
【図５】
2021527813.tif 000010
【図６】
2021527813.tif 000011
【図７】
2021527813.tif 000012
【国際調査報告】
2021527813.tif 000013
2021527813.tif 000014